(57)【要約】      （修正有）【課題】携帯端末に設定されている言語に応じた表示画面をデジタルサイネージに表示させることができる情報提供システム、情報提供サーバ、制御プログラム、制御方法、表示装置、及びコンテンツ提供サーバ、情報提供装置及び端末を提供する。【解決手段】接続先情報提供部を備えた情報提供システム１において、携帯端末２０が接続した接続先の装置から、携帯端末に設定されている言語を示す言語情報を取得し、上記言語情報及び上記言語情報の示す言語を用いた表示画面を表示する旨の制御情報の少なくとも何れかを表示装置１０に送信する。【選択図】図１
2019023878.tif 000002
【特許請求の範囲】
【請求項１】
端末に情報を提供する情報提供装置であって、
当該情報提供装置は、
コンテンツ及び接続先情報を示す識別子を表示する表示部と、
前記端末と通信する通信部と、を備え、
前記接続先情報が前記端末から読み取られると、前記通信部は、前記接続先
に応じたコンテンツに関するデータを前記端末に送信し、前記表示部は、
前記接続先に応じたコンテンツに対応した内容を表示することを特徴とする
情報提供装置。
【請求項２】
上記接続先情報には、上記通信部を介して、上記接続先の装置に接続する
ための認証情報が含まれている、
ことを特徴とする請求項１に記載の情報提供システム。
【請求項３】
情報提供装置から情報を受け取る端末であって、
当該端末は、
情報提供装置の表示部に表示される接続先情報を読み取る読取部と、
前記情報提供装置から情報を受け取る受取部と、を備え、
前記読取部で前記接続先を読み取ると、前記受取部は、前記表示部に表示する
コンテンツに対応するデータであって、前記情報提供装置から前記接続先に
応じたコンテンツに関するデータを受け取ることを特徴とする端
【請求項４】
端末に情報を提供する情報提供システムであって、
当該情報提供システムは、
コンテンツ及び接続先を表示する表示装置と、
前記端末が前記表示部から前記接続先情報を読み取ると、
前記接続先に応じたコンテンツに関するデータを上記端末に送信し、
前記接続先に応じたコンテンツに対応した情報を前記表示部に送信する情報提供装置と、
を備えることを特徴とする情報提供システム。
【発明の詳細な説明】
【技術分野】
【０００１】
本発明は、表示装置に情報を提供する情報提供システム、当該情報提供システムに含まれる情報提供サーバ、当該情報提供サーバの制御プログラム、当該情報提供システムの制御方法、当該情報提供システムから情報の提供を受ける表示装置、携帯端末にコンテンツを提供するコンテンツ提供サーバ、及び当該コンテンツ提供サーバの制御プログラムに関する。
【背景技術】
【０００２】
近年、複数の装置を互いに接続し、連携して動作させることが広く行われている。特許文献１には、デジタルカメラが接続されると、当該デジタルカメラの表示言語の設定に応じて、自装置の表示言語の設定を自動的に変更することが可能なコンピュータ装置が記載されている。また、特許文献２には、簡単に複数の装置間の通信を確立するための技術が記載されている。
【先行技術文献】
【特許文献】
【０００３】
【特許文献１】特許第４５５７３３１号明細書（２０１０年７月３０日）
【特許文献２】特許第５１２０４７４号明細書（２０１２年１１月２日）
【発明の概要】
【発明が解決しようとする課題】
【０００４】
複数の装置を互いに連携させて動作させる技術として、例えば、駅構内、店頭、又は店内等の公共の場に設置されたデジタルサイネージと、携帯端末とを連携させることにより、ユーザに情報を提供する技術が提案されている。このようなデジタルサイネージにおいては、不特定多数のユーザによる利用が見込まれるため、ユーザの使用言語に応じて、デジタルサイネージに表示するコンテンツの言語を変更することができるように構成されていることが望ましい。そのような構成を実現するために、例えば、タッチパネル等の入力操作を受け付ける手段を設けることや、特許文献１に記載の技術を適用することが考えられる。前者の場合は、デジタルサイネージにタッチ機能を実現する追加の構成が必要になることによる製造コストの増大が問題となり、後者の場合は、ユーザが特殊なアプリを組み込んだデバイスを持っていることが必要となる。また、いずれの場合にも、ユーザがタッチあるいはケーブル接続できるよう、手の届く場所にサイネージを設置する必要が生じる。
【０００５】
本発明は、上記の課題に鑑みてなされたものであり、その目的は、デジタルサイネージの製造コストの上昇を抑制し、またサイネージの設置場所に対する制限を緩和しつつ、携帯端末に設定されている言語に応じた表示画面をデジタルサイネージに表示させることができる情報提供システム等を提供することにある。
【課題を解決するための手段】
【０００６】
上記の課題を解決するために、本発明の一態様に係る情報提供システムは、携帯端末が通信を行う接続先を示す接続先情報を、当該携帯端末に提供する情報提供システムであって、当該情報提供システムは、上記接続先情報を上記携帯端末に提供する接続先情報提供部と、上記携帯端末が接続した上記接続先の装置から、当該携帯端末に設定されている言語を示す言語情報を取得する言語情報取得部と、上記言語情報、及び、上記言語情報の示す言語を用いた表示画面を表示する旨の制御情報の少なくとも何れかを表示装置に送信する送信部と、を備えている。
【０００７】
また、上記の課題を解決するために、本発明の一態様に係る情報提供サーバは、表示装置に情報を提供する情報提供サーバであって、携帯端末が通信を行う接続先の装置から、当該携帯端末に設定されている言語を示す言語情報を取得する言語情報取得部と、上記言語情報、及び、上記言語情報の示す言語を用いた表示画面を表示する旨の制御情報の少なくとも何れかを上記表示装置に送信する送信部と、を備えている。
【０００８】
また、上記の課題を解決するために、本発明の一態様に係る制御プログラムは、表示装置に情報を提供する情報提供サーバとしてコンピュータを機能させるための制御プログラムであって、上記コンピュータを、携帯端末が通信を行う接続先の装置から、当該携帯端末に設定されている言語を示す言語情報を取得する言語情報取得部と、上記言語情報、及び、上記言語情報の示す言語を用いた表示画面を表示する旨の制御情報の少なくとも何れかを上記表示装置に送信する送信部と、として機能させる。
【０００９】
また、上記の課題を解決するために、本発明の一態様に係る制御方法は、携帯端末が通信を行う接続先を示す接続先情報を、当該携帯端末に提供する情報提供システムの制御方法であって、上記携帯端末が接続した上記接続先の装置から、当該携帯端末に設定されている言語を示す言語情報を取得する言語情報取得ステップと、上記言語情報、及び、上記言語情報の示す言語を用いた表示画面を表示する旨の制御情報の少なくとも何れかを表示装置に送信する送信ステップと、を含んでいる。
【００１０】
また、上記の課題を解決するために、本発明の一態様に係る表示装置は、携帯端末が通信を行う接続先の装置から当該携帯端末に設定されている言語を示す言語情報を取得するサーバを介して、上記言語情報、及び、上記言語情報の示す言語を用いた表示画面を表示する旨の制御情報の少なくとも何れかを受信する表示装置であって、上記接続先を示す接続先情報を、上記携帯端末に提供する接続先情報提供部と、上記サーバから受信した上記言語情報及び上記制御情報の少なくとも何れかを参照して、上記言語情報の示す言語を用いた表示画面を表示する表示制御部と、を備えている。
【００１１】
また、上記の課題を解決するために、本発明の一態様に係るコンテンツ提供サーバは、携帯端末からの接続要求信号に応じてコンテンツを提供するコンテンツ提供サーバであって、上記携帯端末に設定されている言語を示す言語情報であって、上記接続要求信号に含まれている言語情報を抽出する言語情報抽出部と、上記言語情報、及び、上記言語情報の示す言語を用いた表示画面を表示する旨の制御情報の少なくとも何れかを、表示装置に情報を提供する情報提供サーバに送信する送信部と、を備えている。
【００１２】
また、上記の課題を解決するために、本発明の一態様に係る制御プログラムは、携帯端末からの接続要求信号に応じてコンテンツを提供するコンテンツ提供サーバとしてコンピュータを機能させるための制御プログラムであって、上記コンピュータを、上記携帯端末に設定されている言語を示す言語情報であって、上記接続要求信号に含まれている言語情報を抽出する言語情報抽出部と、表示装置に情報を提供する情報提供サーバに、上記言語情報を送信する送信部と、として機能させる。
【発明の効果】
【００１３】
本発明の一態様によれば、デジタルサイネージの製造コストの上昇を抑制し、またサイネージの設置場所に対する制限を緩和しつつ、携帯端末に設定されている言語に応じた表示画面をデジタルサイネージに表示させることができる。
【図面の簡単な説明】
【００１４】
【図１】本発明の実施形態１に係る情報提供システムを模式的に示す図である。
【図２】（ａ）は、本発明の実施形態１における表示装置の要部構成を示す機能ブロック図であり、（ｂ）は、本発明の実施形態１における表示装置のハードウェア構成を示すブロック図である。
【図３】（ａ）は、本発明の実施形態１における携帯端末の要部構成を示す機能ブロック図であり、（ｂ）は、本発明の実施形態１における携帯端末のハードウェア構成を示すブロック図である。
【図４】本発明の実施形態１における表示装置が受信する接続要求信号に含まれる言語情報の一例を示す図である。
【図５】本発明の実施形態１における表示装置の処理の流れを示すフローチャートである。
【図６】本発明の実施形態１における携帯端末の処理の流れを示すフローチャートである。
【図７】本発明の実施形態２に係る情報提供システムを模式的に示す図である。
【図８】本発明の実施形態２における表示装置の要部構成を示す機能ブロック図である。
【図９】（ａ）は、本発明の実施形態２におけるコンテンツ提供サーバの要部構成を示す機能ブロック図であり、（ｂ）は、本発明の実施形態２におけるコンテンツ提供サーバのハードウェア構成を示すブロック図である。
【図１０】（ａ）は、本発明の実施形態２における情報提供サーバの要部構成を示す機能ブロック図であり、（ｂ）は、本発明の実施形態２における情報提供サーバのハードウェア構成を示すブロック図である。
【図１１】（ａ）は、本発明の実施形態２におけるコンテンツ提供サーバが受信する接続要求信号に含まれるＵＲＬの一例を示す図であり、（ｂ）は、本発明の実施形態２におけるコンテンツ提供サーバが参照する言語情報対応テーブルの一例を示す図である。
【図１２】本発明の実施形態２における表示装置の処理の流れを示すフローチャートである。
【図１３】本発明の実施形態２における携帯端末の処理の流れを示すフローチャートである。
【図１４】本発明の実施形態２におけるコンテンツ提供サーバの処理の流れを示すフローチャートである。
【図１５】本発明の実施形態２における情報提供サーバの処理の流れを示すフローチャートである。
【図１６】本発明の実施形態３におけるコンテンツ提供サーバの処理の流れを示すフローチャートである。
【発明を実施するための形態】
【００１５】
〔実施形態１〕
以下、本発明の実施の形態について、詳細に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１６】
（情報提供システム１）
図１は、本発明の実施形態１に係る情報提供システム１を模式的に示す図である。図１に示すように、情報提供システム１は、表示装置１０と携帯端末２０とを含んで構成されている。情報提供システム１は、携帯端末２０が通信を行う接続先を示す接続先情報を携帯端末２０に提供する情報提供システムである。本実施形態では、表示装置１０が上記の接続先情報を携帯端末２０に提供する接続先情報提供部を備えている。ここで、接続先情報提供部とは、携帯端末２０が読み込むための接続先情報を発信する部分、または、当該接続先情報を示す部分であり、例えば、ＮＦＣアンテナにより接続先情報を読み込む場合のＮＦＣデバイスや、画像スキャナ等により接続先情報を読み込む場合の二次元バーコード等が含まれる。接続先情報提供部として二次元バーコードを用いる場合は、例えば、シールに印刷したものであってもよいし、表示装置の表示画面に表示したものであってもよい。後者の場合、表示装置が接続先情報提供部として機能すると言うこともできる。
【００１７】
本実施形態における表示装置１０の例としては、駅構内、店頭、又は店内等の公共の場に設置されたデジタルサイネージ等が挙げられる。以下では、表示装置１０を「サイネージ」と記載する場合もある。表示装置１０は、例えば、周辺の観光案内を示すコンテンツ、及び店舗のお勧め商品を示すコンテンツ等を表示することにより、ユーザにとって有益な情報を提供する。表示装置１０は、不特定多数が利用する可能性のある公共の場に設置されているため、ユーザの使用言語に対応するコンテンツを表示することが可能なように構成されている。続いて、表示装置１０の構成について説明する。
【００１８】
（表示装置１０）
図２（ａ）は、表示装置１０の要部構成を示す機能ブロック図である。図２（ａ）に示すように、表示装置１０は、表示装置通信部１１０（通信デバイス）、表示装置記憶部１２０、表示装置制御部１３０（サーバ、接続先の装置）、ＮＦＣ（Near Field Communication：近距離無線通信）アンテナ１４０（接続先情報提供部）、及び表示装置表示部１６０を備えている。
【００１９】
表示装置通信部１１０は、携帯端末２０と通信を行う通信デバイスである。表示装置通信部１１０として利用可能なデバイスとしては、無線アクセスポイントが挙げられる。表示装置通信部１１０は、固有のSSID（Service Set Identification）を有している。表示装置通信部１１０は、例えばパスコード等の、表示装置通信部１１０を介して接続先に接続するための認証情報を携帯端末２０から受信し、後述する通信制御部１３４に認証情報を供給する。通信制御部１３４により端末の認証処理が行われると、携帯端末２０との通信が確立される。また、表示装置通信部１１０は、通信が確立された携帯端末２０から接続要求信号を受信し、通信制御部１３４に供給する。そして、表示装置通信部１１０は、当該接続要求信号に応じたＷｅｂコンテンツのデータを携帯端末２０に送信する。
【００２０】
表示装置記憶部１２０には、表示装置１０を動作するための制御プログラム、表示装置１０において動作するアプリケーションのプログラム、及び表示装置１０が表示装置表示部１６０に表示するための表示コンテンツや関連するデータが格納されている。なお、表示装置記憶部１２０には、複数の言語（例えば、日本語、英語、ドイツ語、フランス語、及びイタリア語等）に対応した表示コンテンツや関連するデータがそれぞれ格納されている。また、表示装置記憶部１２０には、携帯端末２０に提供するＷｅｂコンテンツのデータが格納されている。
【００２１】
なお、関連するデータには、表示コンテンツの再生スケジュールやユーザ操作に応じた動作等が含まれる。また、各国語による表示テキストデータも関連データに含め、表示する際に重畳表示するテキストを適宜切り替えるように構成しても良い。また、異なる言語設定を要求する次のユーザからの接続があった際に切り替えるように構成しても良い。あるいは、関連するデータに各国語による表示テキストデータが含まれており、表示制御部１３１が表示コンテンツに重畳して複数の言語による表示を複数行により表示することが可能な場合、複数の言語情報を言語情報取得部１３２にて取得した際には、可能な範囲において当該複数の言語による表示を行うように構成しても良い。
【００２２】
表示装置制御部１３０は、図２（ａ）に示すように、表示制御部１３１、言語情報取得部１３２（送信部）、ＮＦＣ通信制御部１３３、及び通信制御部１３４（言語情報抽出部、送信部）としても機能する。
【００２３】
表示制御部１３１は、表示装置記憶部１２０に格納されている表示コンテンツを表示するように、表示装置表示部１６０を制御する。表示制御部１３１は、携帯端末２０に設定されている言語を示す言語情報であって、後述する言語情報取得部１３２から受信した言語情報を参照して、当該言語情報を用いた表示画面を表示するように、表示装置表示部１６０を制御する。表示制御部１３１は、上記言語情報を用いた表示画面を表示してから所定の時間が経過した場合に、デフォルトとして設定されている言語を用いた表示画面を表示させる。ここで、デフォルトとして設定されている言語は、例えば、表示装置１０が設置されている国または地域に応じた言語であればよい。
【００２４】
なお、所定の時間は、例えば１分であってもよいし５分程度としてもよく、表示するコンテンツの種類や表示するコンテンツに含まれる情報量に応じて適宜設定することができる。あるいは、表示装置通信部１１０における当該携帯端末２０との通信セッションが終了するまでとしても良い。このような構成とすることによって、ある言語のユーザがサイネージを利用し終わった後にも当該ある言語のコンテンツが表示され続けるという状況を抑制することができる。
【００２５】
なお、表示制御部１３１は、言語情報取得部１３２から言語情報を取得する構成としているが、言語情報、及び当該言語情報の示す言語を用いた表示画面を表示する旨の制御情報の少なくとも何れかを言語情報取得部１３２から受信するように構成されていればよい。表示制御部１３１は、言語情報取得部１３２から上記の制御情報を受信した場合、当該制御情報に従って表示装置表示部１６０を制御すればよい。
【００２６】
言語情報取得部１３２は、後述する通信制御部１３４から言語情報を取得し、取得した言語情報を表示制御部１３１に送信する。なお、言語情報取得部１３２は、取得した言語情報と、表示装置記憶部１２０に格納されている表示コンテンツの一覧とを参照して、当該言語情報の示す言語を用いた表示画面を表示する旨の制御情報を表示制御部１３１に送信する構成としてもよい。
【００２７】
ＮＦＣ通信制御部１３３は、ＮＦＣアンテナ１４０による通信を制御するための構成である。ＮＦＣ通信制御部１３３は、ＮＦＣアンテナ１４０と、携帯端末２０との近距離無線通信が確立された場合、携帯端末２０が通信を行う接続先を示す接続先情報を、携帯端末２０に送信するようにＮＦＣアンテナ１４０を制御する。本実施形態では、接続先情報には、表示装置通信部１１０のSSID及びパスコード、ならびに、表示装置記憶部１２０に格納されているＷｅｂコンテンツへ接続するためのＵＲＬ（Uniform Resource Locator）が含まれている。ここで、表示装置通信部１１０のパスコードを、所定の期間が経過する毎に変更するように構成することにより、セキュリティの向上を図ることができる。なお、携帯端末２０との通信が確立されると、自動的に携帯端末２０が所定のサイト（上記のＵＲＬが示すサイト）へのアクセスを開始するように表示装置通信部１１０が構成されている場合、すなわち、HTTPリダイレクトが設定されている場合には、接続先情報にＷｅｂコンテンツへ接続するためのＵＲＬを含めなくてもよい。
【００２８】
なお、本実施の形態におけるＵＲＬは、通信制御部１３４がＷｅｂコンテンツを提供するサイトへのアドレスとなっている。
【００２９】
通信制御部１３４は、表示装置通信部１１０による通信を制御するための構成である。通信制御部１３４は、表示装置通信部１１０が携帯端末２０から受信した認証情報を参照して、携帯端末２０の認証処理を行う。また、通信制御部１３４は、通信が確立された携帯端末２０から受信した接続要求信号を参照して、携帯端末２０に設定されている言語を示す言語情報であって、当該接続要求信号に含まれている言語情報を抽出する言語情報抽出部としても機能する。通信制御部１３４による言語情報の抽出処理については、参照する図面を代えて後述する。通信制御部１３４は抽出した言語情報を言語情報取得部１３２に送信する。また、通信制御部１３４は、携帯端末２０から受信した接続要求信号に応じたコンテンツのデータを、表示装置通信部１１０を介して携帯端末２０に送信する。
【００３０】
ＮＦＣアンテナ１４０は、携帯端末２０が通信を行う接続先を示す接続先情報を、携帯端末２０に提供する接続先情報提供部である。なお、本実施形態では、ＮＦＣ通信制御部１３３によりＮＦＣアンテナ１４０を制御する構成としているが、ＮＦＣアンテナ１４０に代えて、ＮＦＣアンテナ１４０及びＮＦＣ通信制御部１３３の機能を備えたＮＦＣ通信デバイスを用いる構成としてもよい。
【００３１】
表示装置表示部１６０は、表示コンテンツを表示するためのディスプレイであり、上述の表示制御部１３１により制御される。
【００３２】
（言語情報の抽出処理）
ここで、図４を参照して、言語情報の抽出処理について説明する。図４は、表示装置１０が携帯端末２０から受信する接続要求信号に含まれる言語情報の一例を示す図である。携帯端末２０から受信する接続要求信号の例としては、携帯端末２０にインストールされているブラウザアプリから送信されるHTTPリクエストが挙げられる。携帯端末２０は、取得した接続先情報に含まれているＵＲＬに接続するよう、HTTPリクエストを表示装置１０に送信する。HTTPリクエストには、図４に示すようなHTTPヘッダと呼ばれるヘッダ情報が含まれており、HTTPヘッダには、図４において破線にて示すようなAccept-Languageとい
うフィールドが含まれている。
【００３３】
図４に示す例において、Accept-Languageには、「fr,en;q=0.7」、及び「de;q=0.3」と記述されている。ここで、「fr」、「en」、及び「de」は、それぞれ、フランス語、英語、ドイツ語を示す言語IDであり、「q」の値は、それぞれの言語の優先度を示す値である
。したがって、図４に示す例においては、フランス語または英語を用いたＷｅｂコンテンツを優先的に取得し、フランス語及び英語を用いたＷｅｂコンテンツが存在しない場合には、ドイツ語を用いたＷｅｂコンテンツを取得するよう、携帯端末２０から要求されていることを示している。
【００３４】
通信制御部１３４は、図４に示すHTTPヘッダから、Accept-Languageを抽出することに
より、携帯端末２０の言語情報を抽出することができる。そして、通信制御部１３４は、抽出したAccept-Languageを言語情報取得部１３２に送信する。言語情報取得部１３２は
、受信したAccept-Languageに含まれる言語ID及び当該言語IDに設定されている優先度を
参照して、最も優先度の高い言語を用いた表示コンテンツを表示画面に表示することを決定する。そして、言語情報取得部１３２は、決定された表示画面を表示する旨の制御情報を表示制御部１３１に送信する。
【００３５】
Ｗｅｂブラウザ機能は、多くの携帯端末２０に実装されている機能であるため、このように構成することで、特段のアプリを携帯端末２０に準備することなく、携帯端末２０の言語設定を取得することが可能となる。
【００３６】
なお、言語情報の抽出処理は、上述の処理に限定されるものではなく、例えば、携帯端末２０のＯＳ（Operating System）設定を参照して言語情報を抽出するアプリを携帯端末２０にインストールする構成としてもよい。上記の場合、携帯端末２０からの接続要求信号に抽出した言語情報を付加して表示装置１０に送信すればよい。  
【００３７】
（表示装置１０のハードウェア構成）
図２（ｂ）は、表示装置１０のハードウェア構成を示すブロック図である。図２（ｂ）に示すように、表示装置１０は、通信部１１００、記憶部１２００、制御部１３００、ＮＦＣアンテナ１４００、及び表示部１６００を備えている。
【００３８】
通信部１１００は、ネットワークを介して、携帯端末２０との通信を可能にするためのインターフェースである。通信部１１００として利用可能なデバイスとしては、例えば、無線アクセスポイントを挙げることができる。通信部１１００は、上述した表示装置通信部１１０の機能を実現する。
【００３９】
記憶部１２００は、主記憶部および補助記憶部を備えている。記憶部１２００の主記憶部として利用可能なデバイスとしては、例えば、半導体ＲＡＭ（random access memory）を挙げることができる。また、記憶部１２００の補助記憶部として利用可能なデバイスとしては、例えば、ハードディスクドライブ（ＨＤＤ）を挙げることができ、補助記憶部には、表示装置１０として動作させるための制御プログラムが保存されている。制御プログラムは、表示装置制御部１３０の機能を実現するためのプログラムである。
【００４０】
制御部１３００は、記憶部１２００の主記憶部上に制御プログラムを展開し、展開された制御プログラムに含まれる各種の命令を実行することによって、上述した表示装置制御部１３０の機能を実現する。制御部１３００として利用可能なデバイスとしては、ＣＰＵ（Central Processing Unit）を挙げることができる。
【００４１】
ＮＦＣアンテナ１４００は、携帯端末２０と近距離無線通信を行うためのアンテナであり、上述のＮＦＣアンテナ１４０の機能を実現する。
【００４２】
表示部１６００は、コンテンツを表示するためのディスプレイであり、上述の表示装置表示部１６０の機能を実現する。
【００４３】
（携帯端末２０）
図３（ａ）は、携帯端末２０の要部構成を示す機能ブロック図である。図３（ａ）に示すように、携帯端末２０は、携帯端末通信部２１０、携帯端末記憶部２２０、携帯端末制御部２３０、ＮＦＣアンテナ２４０、カメラ２５０、及び携帯端末表示部２６０を備えている。
【００４４】
携帯端末通信部２１０は、後述する接続先情報取得部２３３が取得した接続先情報が示す接続先の装置と通信を行うための構成である。携帯端末通信部２１０は、SSIDが示す装置（すなわち、表示装置通信部１１０）にパスコードを送信する。表示装置通信部１１０との通信が確立されると、携帯端末通信部２１０は、表示装置通信部１１０に対して接続要求信号を送信する。また、携帯端末通信部２１０は、接続要求信号に応じて表示装置通信部１１０から送信されたＷｅｂコンテンツのデータを受信し、後述する通信制御部２３４に送信する。
【００４５】
携帯端末記憶部２２０には、携帯端末２０を動作するための制御プログラム、及び携帯端末２０において動作するアプリケーションのプログラムが格納されている。
【００４６】
携帯端末制御部２３０は、図３（ａ）に示すように、表示制御部２３１、ＮＦＣ通信制御部２３２、接続先情報取得部２３３、及び通信制御部２３４（通信部）としても機能する。
【００４７】
表示制御部２３１は、携帯端末表示部２６０を制御するための構成であり、例えば、携帯端末記憶部２２０に格納されているアプリケーションプログラムの実行結果を示す映像を表示するように、携帯端末表示部２６０を制御する。また、表示制御部２３１は、表示装置１０から、Ｗｅｂコンテンツのデータを受信した場合には、当該データが示すＷｅｂコンテンツを表示するように、携帯端末表示部２６０を制御する。
【００４８】
ＮＦＣ通信制御部２３２は、ＮＦＣアンテナ２４０による通信を制御するための構成である。ＮＦＣ通信制御部２３２は、ＮＦＣアンテナ２４０と、表示装置１０のＮＦＣアンテナ１４０との近距離無線通信が確立された場合、表示装置１０から接続先情報を受信し、接続先情報取得部２３３に送信する。
【００４９】
接続先情報取得部２３３は、ＮＦＣアンテナ２４０を介して受信した接続先情報を取得する。接続先情報取得部２３３は、取得した接続先情報を参照して、表示装置通信部１１０のSSID及びパスコードを通信制御部２３４に供給する。また、携帯端末２０と表示装置１０との近距離無線通信が確立されると、接続先情報取得部２３３は、取得した接続先情報を参照して、表示装置記憶部１２０に格納されているＷｅｂコンテンツを取得するためのＵＲＬへのHTTP接続を行い、接続要求信号を表示装置１０に送信する。なお、接続先情報に接続先ＵＲＬが含まれないように構成した場合は、表示装置１０に実装されたHTTPリダイレクト機能により通知される、表示装置記憶部１２０に格納されているＷｅｂコンテンツへのURLに対して、HTTP接続を行い、接続要求信号を表示装置１０に送信する。
【００５０】
通信制御部２３４は、携帯端末通信部２１０による通信を制御するための構成である。通信制御部２３４は、接続先情報に含まれる認証情報を参照して、SSIDが示す装置（すなわち、表示装置通信部１１０）に、パスコードを送信することにより、表示装置通信部１１０との通信を確立させる。表示装置通信部１１０との通信が確立されると、通信制御部２３４は、表示装置通信部１１０に対して接続要求信号を送信する。また、通信制御部２３４は、接続要求信号に応じて表示装置通信部１１０から送信されたＷｅｂコンテンツのデータを受信し、表示制御部２３１に送信する。
【００５１】
ＮＦＣアンテナ２４０は、表示装置１０のＮＦＣアンテナ１４０と近距離無線通信を行うためのアンテナである。
【００５２】
カメラ２５０は、画像を撮像するための構成である。後述の実施形態２においては、接続先情報を提供するために、接続先情報を示す識別子を画像として提供している。上記の場合、携帯端末２０は、カメラ２５０によって当該識別子を撮像することにより、接続先情報を取得することができる。具体的には、上記の場合、接続先情報取得部２３３は、カメラ２５０から撮像した画像を取得し、当該画像を解析することにより接続先情報を抽出することができる。
【００５３】
携帯端末表示部２６０は、表示制御部２３１により制御され、表示制御部２３１から供給されるデータが示すコンテンツを表示する。
【００５４】
（携帯端末２０のハードウェア構成）
図３（ｂ）は、携帯端末２０のハードウェア構成を示すブロック図である。図３（ｂ）に示すように、携帯端末２０は、通信部２１００、記憶部２２００、制御部２３００、ＮＦＣアンテナ２４００、カメラ２５００、及び表示部２６００を備えている。
【００５５】
通信部２１００は、ネットワークを介して、表示装置１０との通信を可能にするためのインターフェースである。通信部２１００は、上述した携帯端末通信部２１０の機能を実現する。
【００５６】
記憶部２２００は、主記憶部および補助記憶部を備えている。記憶部２２００の主記憶部として利用可能なデバイスとしては、例えば、半導体ＲＡＭ（random access memory）を挙げることができる。また、記憶部２２００の補助記憶部として利用可能なデバイスとしては、例えば、ハードディスクドライブ（ＨＤＤ）を挙げることができ、補助記憶部には、携帯端末２０として動作させるための制御プログラムが保存されている。制御プログラムは、携帯端末制御部２３０の機能を実現するためのプログラムである。
【００５７】
制御部２３００は、記憶部２２００の主記憶部上に制御プログラムを展開し、展開された制御プログラムに含まれる各種の命令を実行することによって、上述した携帯端末制御部２３０の機能を実現する。制御部２３００として利用可能なデバイスとしては、ＣＰＵ（Central Processing Unit）を挙げることができる。
【００５８】
ＮＦＣアンテナ２４００は、表示装置１０と近距離無線通信を行うためのアンテナであり、上述のＮＦＣアンテナ２４０の機能を実現する。
【００５９】
カメラ２５００は、画像を撮像するための構成であり、上述のカメラ２５０の機能を実現する。
【００６０】
表示部２６００は、コンテンツを表示するためのディスプレイであり、上述の携帯端末表示部２６０の機能を実現する。
【００６１】
（表示装置１０の処理の流れ）
続いて、図５を参照して、表示装置１０の処理の流れについて説明する。図５は、表示装置１０の処理の流れを示すフローチャートである。
【００６２】
（ステップＳ１０１）
表示装置１０の表示制御部２３１は、表示装置記憶部１２０に格納されている表示コンテンツを表示装置表示部１６０に表示する。
【００６３】
（ステップＳ１０２）
続いて、表示装置１０は、ＮＦＣ通信制御部１３３により携帯端末２０との近距離無線接続が検出されるまで、処理を待機する。
【００６４】
（ステップＳ１０３）
ステップS１０２にて、携帯端末２０との近距離無線接続が検出されると、表示装置１
０は、ＮＦＣアンテナ１４０を介して、接続先情報を携帯端末２０に送信する。
【００６５】
（ステップＳ１０４）
続いて、表示装置１０は、接続先情報を取得した携帯端末２０と表示装置通信部１１０とのネットワーク接続が確立されるまで、すなわち、通信制御部１３４による上述の認証処理が完了するまで、処理を待機する。
【００６６】
（ステップＳ１０５）
続いて、表示装置１０は、接続先への接続を検出するまで、処理を待機する。具体的には、表示装置１０は、表示装置記憶部１２０に格納されているＷｅｂコンテンツへの接続要求信号を携帯端末２０から受信するまで、処理を待機する。
【００６７】
（ステップＳ１０６）
ステップＳ１０５にて携帯端末２０から接続要求信号を受信すると、表示装置１０の言語情報取得部１３２は、当該接続要求信号に含まれる言語情報を取得する。言語情報取得部１３２は、取得した言語情報を表示制御部１３１に送信する。ここで、表示装置１０は、受信した接続要求信号に応じたＷｅｂコンテンツを示すデータを携帯端末２０に送信する。
【００６８】
（ステップＳ１０７）
続いて、表示制御部１３１は、取得した言語情報の示す言語を用いた表示コンテンツを表示装置表示部１６０に表示させる。
【００６９】
（ステップＳ１０８）
続いて、表示装置１０は、ステップＳ１０７にて表示制御部１３１が取得した言語情報の示す言語を用いた表示コンテンツを表示装置表示部１６０に表示させてから所定の時間が経過するまで、処理を待機する。
【００７０】
（ステップＳ１０９）
ステップＳ１０８にて所定の時間が経過すると、表示制御部１３１は、デフォルトとして設定されている言語を用いた表示コンテンツを表示装置表示部１６０に表示させる。そして、表示装置１０は、ステップＳ１０２に処理を戻す。
【００７１】
（携帯端末２０の処理の流れ）
続いて、図６を参照して、携帯端末２０の処理の流れについて説明する。図６は、携帯端末２０の処理の流れを示すフローチャートである。
【００７２】
（ステップＳ２０１）
携帯端末２０は、ＮＦＣ通信制御部２３２により表示装置１０（サイネージ）との近距離無線接続が検出されるまで、処理を待機する。
【００７３】
（ステップＳ２０２）
続いて、ステップＳ２０１にて表示装置１０との近距離無線接続が検出されると、携帯端末２０は、ＮＦＣアンテナ２４０を介して、表示装置１０から接続先情報を受信する。より具体的には、携帯端末２０は、上述したステップＳ１０３にて表示装置１０から送信された接続先情報を受信する。携帯端末２０は、受信した接続先情報に含まれる認証情報を参照して、表示装置１０とのネットワーク接続を確立させる。
【００７４】
（ステップＳ２０３）
続いて、携帯端末２０は、表示装置１０とのネットワーク接続が確立されるまで、処理を待機する。
【００７５】
（ステップＳ２０４）
ステップＳ２０３にて、表示装置１０とのネットワーク接続が確立されると、携帯端末２０は、Ｗｅｂコンテンツへの接続要求信号を表示装置１０に送信する。ここで送信される接続先要求信号は、上述のステップＳ１０５にて表示装置１０が携帯端末２０から受信する接続要求信号である。
【００７６】
（ステップＳ２０５）
続いて、携帯端末２０は、接続要求信号に応じたＷｅｂコンテンツを示すデータを表示装置１０から受信する。より具体的には、携帯端末２０は、上述のステップＳ１０６にて表示装置１０から送信されたＷｅｂコンテンツを示すデータを受信する。
【００７７】
（ステップＳ２０６）
続いて、携帯端末２０は、ステップＳ２０５にて受信したデータが示すＷｅｂコンテンツを携帯端末表示部２６０に表示する。
【００７８】
以上の処理により、本実施形態に係る情報提供システム１は、携帯端末２０に設定されている言語に応じた表示画面を表示装置１０に表示させることができる。
【００７９】
以上のように、表示装置１０と携帯端末２０が互いに連携して動作することにより、本実施形態に係る情報提供システム１は、携帯端末２０に設定されている言語に応じた表示画面を表示装置１０に表示させることができる。
【００８０】
なお、ＮＦＣ通信制御部１３３が、例えば、Felica（登録商標）等のセキュア通信に対応している場合、表示装置１０にいわゆるキオスク端末の機能を持たせておき、表示装置表示部１６０に表示されたコンテンツやサービスの対価をＮＦＣ通信制御部１３３により決済するように構成しても良い。また、ＮＦＣ通信制御部１３３とＮＦＣアンテナ１４０については、両者の機能が一体となったＲＦタグシールとして、表示装置１０に貼付するように構成しても良い。
【００８１】
〔実施形態２〕
本発明の実施形態２について、図７〜図１５に基づいて説明すれば、以下のとおりである。なお、説明の便宜上、前記実施形態にて説明した部材と同じ機能を有する部材については、同じ符号を付記し、その説明を省略する。
【００８２】
（情報提供システム１ａ）
図７は、本発明の実施形態２に係る情報提供システム１ａを模式的に示す図である。図７に示すように、情報提供システム１ａは、表示装置１０ａ、携帯端末２０、サイトサーバ３０（コンテンツ提供サーバ、接続先の装置）、及びサイネージサーバ４０（サーバ、情報提供サーバ）を含んで構成されている。
【００８３】
本実施形態では、サイトサーバ３０は、携帯端末２０からの接続要求信号に応じてＷｅｂコンテンツを提供するコンテンツ提供サーバである。また、サイネージサーバ４０は、表示装置１０ａに情報を提供する情報提供サーバである。なお、図７においては、表示装置１０ａのみが図示されているがサイネージサーバ４０は、複数の表示装置に対して情報を提供するように構成されている。
【００８４】
本実施形態に係る情報提供システム１ａは、携帯端末２０が通信を行う接続先を示す接続先情報を携帯端末２０に提供する情報提供システムである。本実施形態では、サイトサーバ３０は上記の接続先の装置として機能し、サイネージサーバ４０は上記のサーバとして機能する。換言すれば、本実施形態では、実施形態１に係る表示装置１０の一部の処理をサイトサーバ３０及びサイネージサーバ４０により実現するものである。
【００８５】
（表示装置１０ａ）
図８は、表示装置１０ａの要部構成を示す機能ブロック図である。図８に示すように、表示装置１０ａは、表示装置通信部１１０、及び表示装置制御部１３０に代えて、表示装置通信部１１０ａ、及び表示装置制御部１３０ａを備えているという点において実施形態１の表示装置１０と異なっている。
【００８６】
なお、本実施形態では、接続先情報を提供するために二次元バーコードを用いる構成を採用しており、表示装置１０ａ自身を接続先情報提供部として機能させ、表示装置表示部１６０に当該二次元バーコードを表示するように構成されている。そのため、表示装置１０ａは、ＮＦＣアンテナ１４０及びＮＦＣ通信制御部１３３を備えていなくてもよい。また、本実施形態では、実施形態１とは異なり、無線アクセスポイントを介して接続先に接続する構成ではないため、接続先情報には、Ｗｅｂコンテンツに接続するためのＵＲＬが含まれており、無線アクセスポイントのSSID及びパスコードは含まれていない。さらに、本実施形態では、表示装置１０ａは、サイネージサーバ４０から、上記の制御情報を取得する構成である。そのため、接続先情報には、サイネージサーバ４０が情報を提供する複数の表示装置のうち、何れの表示装置であるかを特定するための特定情報であるサイネージＩＤがさらに含まれている。
【００８７】
表示装置通信部１１０ａは、ネットワークを介してサイネージサーバ４０と通信を行うための構成である。本実施形態では、通信制御部１３４ａは、表示装置通信部１１０ａを介して、サイネージサーバ４０から、携帯端末２０の言語情報の示す言語を用いた表示コンテンツを表示する旨の制御情報を受信する。そして通信制御部１３４ａは、受信した制御情報を言語情報取得部１３２ａに送信する。
【００８８】
言語情報取得部１３２ａは、通信制御部１３４を介してサイネージサーバ４０から取得した制御情報を表示制御部１３１ａに送信する。表示制御部１３１ａは、言語情報取得部１３２ａから受信した制御情報に従って、表示コンテンツを表示するように、表示装置表示部１６０を制御する。なお、サイネージサーバ４０から言語情報を取得した場合、言語情報取得部１３２ａは、取得した言語情報と、表示装置記憶部１２０に格納されている表示コンテンツの一覧とを参照して、当該言語情報を用いた表示画面を表示する旨の制御情報を表示制御部１３１ａに送信してもよい。
【００８９】
（サイトサーバ３０）
図９（ａ）は、サイトサーバ３０の要部構成を示す機能ブロック図である。図９（ａ）に示すように、サイトサーバ３０は、サーバ通信部３１０、サーバ記憶部３２０、及びサーバ制御部３３０を備えている。
【００９０】
サーバ通信部３１０は、ネットワークを介して、携帯端末２０、及びサイネージサーバ４０と通信を行うための構成である。サーバ通信部３１０は、携帯端末２０から接続要求信号を受信し、通信制御部３３１に供給する。そして、サーバ通信部３１０は、当該接続要求信号に応じたＷｅｂコンテンツのデータを携帯端末２０に送信する。
【００９１】
また、サーバ通信部３１０は、後述する言語情報抽出部３３２により抽出された言語情報、及び表示装置を特定するためのサイネージＩＤを、サーバ通信部３１０を介してサイネージサーバ４０に送信する。
【００９２】
サーバ記憶部３２０には、サイトサーバ３０を動作するための制御プログラム、及びサイトサーバ３０において動作するアプリケーションのプログラムが格納されている。
【００９３】
サーバ制御部３３０は、図９（ａ）に示すように、通信制御部３３１（送信部）、及び言語情報抽出部３３２としても機能する。
【００９４】
通信制御部３３１は、サーバ通信部３１０による通信を制御するための構成である。通信制御部３３１は、携帯端末２０から受信した接続要求信号を、言語情報抽出部３３２に送信する。また、通信制御部３３１は、言語情報抽出部３３２により抽出された言語情報、及びサイネージＩＤを、サーバ通信部３１０を介してサイネージサーバ４０に送信する。
【００９５】
言語情報抽出部３３２は、携帯端末２０から受信した接続要求信号を参照して、携帯端末２０に設定されている言語を示す言語情報であって、当該接続要求信号に含まれている言語情報を抽出する。言語情報抽出部３３２は、さらに、接続要求信号に含まれているサイネージＩＤを抽出する。そして、言語情報抽出部３３２は、抽出した言語情報、及びサイネージＩＤを通信制御部３３１に供給する。
【００９６】
（サイトサーバ３０のハードウェア構成）
図９（ｂ）は、サイトサーバ３０のハードウェア構成を示すブロック図である。図９（ｂ）に示すように、サイトサーバ３０は、通信部３１００、記憶部３２００、及び制御部３３００を備えている。
【００９７】
通信部３１００は、ネットワークを介して、携帯端末２０との通信を可能にするためのインターフェースである。通信部３１００は、上述したサーバ通信部３１０の機能を実現する。
【００９８】
記憶部３２００は、主記憶部および補助記憶部を備えている。記憶部３２００の主記憶部として利用可能なデバイスとしては、例えば、半導体ＲＡＭ（random access memory）を挙げることができる。また、記憶部３２００の補助記憶部として利用可能なデバイスとしては、例えば、ハードディスクドライブ（ＨＤＤ）を挙げることができ、補助記憶部には、サイトサーバ３０として動作させるための制御プログラムが保存されている。制御プログラムは、サーバ制御部３３０の機能を実現するためのプログラムである。
【００９９】
制御部３３００は、記憶部３２００の主記憶部上に制御プログラムを展開し、展開された制御プログラムに含まれる各種の命令を実行することによって、上述したサーバ制御部３３０の機能を実現する。制御部３３００として利用可能なデバイスとしては、ＣＰＵ（Central Processing Unit）を挙げることができる。
【０１００】
（サイネージサーバ４０）
図１０（ａ）は、サイネージサーバ４０の要部構成を示す機能ブロック図である。図１０（ａ）に示すように、サイネージサーバ４０は、サーバ通信部４１０、サーバ記憶部４２０、及びサーバ制御部４３０を備えている。
【０１０１】
サーバ通信部４１０は、ネットワークを介して、サイトサーバ３０、及び表示装置１０ａと通信を行うための構成である。サーバ通信部４１０は、サイトサーバ３０から言語情報及びサイネージＩＤを受信し、通信制御部４３１に供給する。そして、サーバ通信部４１０は、後述する言語情報取得部４３２により生成された制御情報を表示装置１０ａに送信する。
【０１０２】
サーバ記憶部４２０には、サイネージサーバ４０を動作するための制御プログラム、及びサイネージサーバ４０において動作するアプリケーションのプログラムが格納されている。サーバ記憶部４２０には、さらに、サイネージＩＤが示す表示装置が、何れの言語を用いた表示コンテンツに対応しているかを示す言語対応テーブルが格納されている。言語対応テーブルの例については、参照する図面を代えて後述する。
【０１０３】
サーバ制御部４３０は、図１０（ａ）に示すように、通信制御部４３１（送信部）、及び言語情報取得部４３２としても機能する。
【０１０４】
通信制御部４３１は、サーバ通信部４１０による通信を制御するための構成である。通信制御部４３１は、サイトサーバ３０から受信した言語情報及びサイネージＩＤを、言語情報取得部４３２に送信する。また、通信制御部４３１は、言語情報取得部４３２により生成された制御情報を、サーバ通信部４１０を介して表示装置１０ａに送信する。
【０１０５】
言語情報取得部４３２は、通信制御部４３１から受信した言語情報及びサイネージＩＤ、ならびに、サーバ記憶部４２０に格納されている言語対応テーブルを参照して、何れの言語を用いた表示コンテンツを、当該サイネージＩＤが示す表示装置に表示させるかを決定する。そして、言語情報取得部４３２は、決定された表示コンテンツを表示させる旨の制御情報を、通信制御部４３１に送信する。
【０１０６】
（表示コンテンツの決定処理）
次に図１１を参照して、表示コンテンツの決定処理について説明する。図１１（ａ）は、サイトサーバ３０が携帯端末２０から受信する接続要求信号に含まれるＵＲＬの一例を示す図である。図１１（ａ）に示すように、携帯端末２０から受信する接続要求信号に含まれるＵＲＬには、サイトのアドレスに加えて、「？」にて区切られたＵＲＬクエリが含まれている。ＵＲＬクエリは、サイトアドレスに示されたサイトにアクセスするために用いられるものではなく、いわゆるダミーパラメータとして、付加的な情報を送信するために用いられるものである。本実施形態では、図１１（ａ）に示すように、ＵＲＬクエリにサイネージＩＤを埋め込む構成としている。図１１（ａ）に示す例では、「signage_id」の値として、「marunouchi.02」が記述されており、言語情報抽出部３３２は、「signage_id」の値を参照してサイネージＩＤを抽出する。
【０１０７】
図１１（ｂ）は、サイネージサーバ４０が参照する言語情報対応テーブルの一例を示す図である。図１１（ｂ）に示す言語情報対応テーブルにおいては、サイネージＩＤが示す表示装置が、何れの言語を用いた表示コンテンツに対応しているかが示されている。言語情報対応テーブルにおいて、横軸には言語ＩＤが示されている。言語ＩＤ「ja」、「en」、「de」、「fr」、及び「it」は、それぞれ日本語、英語、ドイツ語、フランス語、及びイタリア語を示すＩＤである。例えば、図１１（ｂ）に示す例において、サイネージＩＤが「marunouchi.01」である表示装置は、日本語、英語、ドイツ語、フランス語、及びイ
タリア語を用いた表示コンテンツに対応していることが示されている。一方、図１１（ｂ）に示す例において、サイネージＩＤが「shinagawa.02」である表示装置は、日本語、英語、及びドイツ語を用いた表示コンテンツに対応していることが示されている。
【０１０８】
言語情報取得部４３２は、サイトサーバ３０から供給された言語情報及びサイネージＩＤ、ならびにサーバ記憶部４２０に格納されている言語情報対応テーブルを参照して、当該サイネージＩＤが示す表示装置に表示させる表示コンテンツを決定する。
【０１０９】
なお、例えば、図４にて説明したように、Accept-Languageとして、複数の言語が指定
されていた場合には、表示装置が対応している言語のうち、最も優先度の高い言語を用いた表示コンテンツを表示させるように構成すればよい。また、表示装置が、Accept-Languageに指定されている何れの言語にも対応していない場合には、英語を用いた表示コンテ
ンツを表示するように構成してもよい。また、上記の場合であって、表示装置が英語にも対応していない場合には、表示画面を変更しない、すなわち、及び表示装置１０ａに対して制御情報を送信しない構成としてもよい。
【０１１０】
（サイネージサーバ４０のハードウェア構成）
図１０（ｂ）は、サイネージサーバ４０のハードウェア構成を示すブロック図である。図１０（ｂ）に示すように、サイネージサーバ４０は、通信部４１００、記憶部４２００、及び制御部４３００を備えている。
【０１１１】
通信部４１００は、ネットワークを介して、サイトサーバ３０及び表示装置１０ａとの通信を可能にするためのインターフェースである。通信部４１００は、上述したサーバ通信部３１０の機能を実現する。
【０１１２】
記憶部４２００は、主記憶部および補助記憶部を備えている。記憶部４２００の主記憶部として利用可能なデバイスとしては、例えば、半導体ＲＡＭ（random access memory）を挙げることができる。また、記憶部４２００の補助記憶部として利用可能なデバイスとしては、例えば、ハードディスクドライブ（ＨＤＤ）を挙げることができ、補助記憶部には、サイネージサーバ４０として動作させるための制御プログラムが保存されている。制御プログラムは、サーバ制御部４３０の機能を実現するためのプログラムである。
【０１１３】
制御部４３００は、記憶部４２００の主記憶部上に制御プログラムを展開し、展開された制御プログラムに含まれる各種の命令を実行することによって、上述したサーバ制御部４３０の機能を実現する。制御部４３００として利用可能なデバイスとしては、ＣＰＵ（Central Processing Unit）を挙げることができる。
【０１１４】
（表示装置１０ａの処理の流れ）
続いて、図１２を参照して、表示装置１０ａの処理の流れについて説明する。図１２は、表示装置１０ａの処理の流れを示すフローチャートである。
【０１１５】
（ステップＳ３０１）
表示装置１０ａは、サイネージサーバ４０から携帯端末２０の言語情報の示す言語を用いた表示コンテンツを表示する旨の制御情報を取得する。
【０１１６】
（ステップＳ３０２）
続いて、表示装置１０ａの表示制御部１３１ａは、ステップＳ３０１にて受信した制御情報に従って、携帯端末２０の言語情報の示す言語を用いた表示コンテンツを表示装置表示部１６０に表示する。
【０１１７】
（ステップＳ３０３）
続いて、表示装置１０ａは、ステップＳ３０２にて、携帯端末２０の言語情報の示す言語を用いた表示コンテンツを表示装置表示部１６０に表示させてから所定の時間が経過するまで、処理を待機する。
【０１１８】
（ステップＳ３０４）
ステップＳ３０３にて所定の時間が経過すると、表示制御部１３１ａは、デフォルトとして設定されている言語を用いた表示コンテンツを表示装置表示部１６０に表示させる。そして、表示装置１０は、ステップＳ３０１に処理を戻す。
【０１１９】
（携帯端末２０の処理の流れ）
続いて、図１３を参照して、本実施形態における携帯端末２０の処理の流れについて説明する。図１３は、携帯端末２０の処理の流れを示すフローチャートである。
【０１２０】
（ステップＳ４０１）
携帯端末２０のカメラ２５０により、接続先情報を示す識別子（二次元バーコード）を撮像する。
【０１２１】
（ステップＳ４０２）
続いて、携帯端末２０の接続先情報取得部２３３は、カメラ２５０により撮像された画像を解析し、接続先情報が含まれているか、すなわち接続先情報を取得したか否かを判別する。撮像された画像に接続先情報が含まれている場合、携帯端末２０は、ステップＳ４０３の処理に進み、撮像された画像に接続先情報が含まれていない場合、携帯端末２０は、処理をステップＳ４０１に戻す。
【０１２２】
（ステップＳ４０３）
ステップＳ４０２にて撮像された画像に接続先情報が含まれている場合、携帯端末２０は、接続要求信号をサイトサーバ３０に送信する。なお、例えば、二次元バーコードを撮像するためのアプリにおいて、撮像した二次元バーコードにＵＲＬ情報が含まれていると、自動的に当該ＵＲＬにアクセスを開始するように設定されている場合、携帯端末２０は、自動的に接続要求信号をサイトサーバ３０に送信する。
【０１２３】
（ステップＳ４０４）
続いて、携帯端末２０は、接続要求信号に応じたＷｅｂコンテンツを示すデータをサイトサーバ３０から受信する。
【０１２４】
（ステップＳ４０５）
続いて、携帯端末２０は、ステップＳ４０４にて受信したデータが示すＷｅｂコンテンツを携帯端末表示部２６０に表示する。
【０１２５】
（サイトサーバ３０の処理の流れ）
続いて、図１４を参照して、サイトサーバ３０の処理の流れについて説明する。図１４は、サイトサーバ３０の処理の流れを示すフローチャートである。
【０１２６】
（ステップＳ５０１）
サイトサーバ３０は、携帯端末２０から接続要求信号を受信するまで処理を待機する。より具体的には、サイトサーバ３０は、上述のステップＳ４０３にて、携帯端末２０から接続要求信号が送信されるまで、処理を待機する。
【０１２７】
（ステップＳ５０２）
ステップＳ５０１にて、携帯端末２０から接続要求信号を受信すると、サイトサーバ３０は、接続要求信号に含まれるＵＲＬクエリにサイネージＩＤが含まれているか否かを判別する。ＵＲＬクエリにサイネージＩＤが含まれている場合、サイトサーバ３０は、ステップＳ５０３の処理に進み、ＵＲＬクエリにサイネージＩＤが含まれていない場合、サイトサーバ３０は、ステップＳ５０６の処理に進む。
【０１２８】
（ステップＳ５０３）
ステップＳ５０２にて、ＵＲＬクエリにサイネージＩＤが含まれている場合、言語情報抽出部３３２は、接続要求信号からサイネージＩＤを抽出する。
【０１２９】
（ステップＳ５０４）
続いて、言語情報抽出部３３２は、接続要求信号から言語情報を抽出する。
【０１３０】
（ステップＳ５０５）
通信制御部３３１は、言語情報抽出部３３２により抽出された言語情報及びサイネージＩＤを、サーバ通信部３１０を介してサイネージサーバ４０に送信する。
【０１３１】
（ステップＳ５０６）
続いて、サイトサーバ３０は、携帯端末２０から送信された接続要求信号に応じたＷｅｂコンテンツのデータを携帯端末２０に送信する。ここで携帯端末２０に送信されるＷｅｂコンテンツのデータは、上述のステップＳ４０４にて携帯端末２０がサイトサーバ３０から受信するＷｅｂコンテンツのデータである。なお、ステップＳ５０２にてＵＲＬクエリにサイネージＩＤが含まれていない場合、サイトサーバ３０は、サイネージサーバ４０に対して言語情報を送信しない。
【０１３２】
（サイネージサーバ４０の処理の流れ）
続いて、図１５を参照して、サイネージサーバ４０の処理の流れについて説明する。図１５は、サイネージサーバ４０の処理の流れを示すフローチャートである。
【０１３３】
（ステップＳ６０１）
サイネージサーバ４０は、サイトサーバ３０から、言語情報及びサイネージＩＤを受信する。より具体的には、サイネージサーバ４０は、上述のステップＳ５０５にてサイトサーバ３０から送信された言語情報及びサイネージＩＤを受信する。
【０１３４】
（ステップＳ６０２）
言語情報取得部４３２は、受信した言語情報及びサイネージＩＤ、ならびに、サーバ記憶部４２０に格納されている言語対応テーブルを参照して、何れの言語を用いた表示コンテンツを、当該サイネージＩＤが示す表示装置に表示させるかを決定する。そして、言語情報取得部４３２は、決定された表示コンテンツを表示させる旨の制御情報を生成し、通信制御部４３１に送信する。
【０１３５】
（ステップＳ６０３）
サイネージサーバ４０は、言語情報取得部４３２により生成された制御情報を、表示装置１０ａに送信する。ここで送信される制御情報は、上述のステップＳ３０１にて表示装置１０ａがサイネージサーバ４０から受信した制御情報である。
【０１３６】
以上のように、表示装置１０ａ、携帯端末２０、サイトサーバ３０、及びサイネージサーバ４０が互いに連携して動作することにより、本実施形態に係る情報提供システム１ａは、携帯端末２０に設定されている言語に応じた表示画面を表示装置１０ａに表示させることができる。
【０１３７】
なお、サイネージサーバ４０は、一般的なサイネージサーバのように、表示装置１０ａに表示するコンテンツや関連情報を、広告依頼主や広告代理店による操作に応じて、それぞれの表示装置１０ａに配信する機能を備えていても良い。例えば、配信すべき表示コンテンツが複数あり、関連情報に各表示コンテンツを表示するスケジュールを示すスケジュール情報が含まれている場合には、サイネージサーバ４０は、当該スケジュール情報と時刻情報とに基づいて、何れの表示コンテンツを配信するかを決定する。そして、受信した言語情報及びサイネージＩＤ、ならびに、言語対応テーブルを参照して、上記のように決定された表示コンテンツが対応している言語を用いた表示コンテンツ群において、当該言語情報が示す言語を用いた表示コンテンツを表示させる旨の制御情報を生成するように構成してもよい。さらに、言語情報に応じて、サイネージサーバ４０にて表示コンテンツを生成し、各表示装置１０ａにストリーミング配信するように構成しても良い。
【０１３８】
なお、本実施形態では、表示装置１０ａは、サイネージサーバ４０から上記の制御情報を取得する構成としているが、これに限定されるものではない。例えば、サイトサーバ３０が、サイネージＩＤにて特定された表示装置１０ａに言語情報を送信する構成とし、表示装置１０ａが、上記の制御情報を生成する構成としてもよい。
【０１３９】
また、本実施形態では、接続先情報を示す二次元バーコードを表示装置１０ａに表示する構成としているが、例えば、二次元バーコードが印刷されたシールを表示装置１０ａに貼り付ける構成としてもよい。
【０１４０】
また、本実施形態において、表示装置１０ａが表示装置表示部１６０に表示する表示コンテンツは、サイネージサーバ４０から提供されるように構成してもよい。
【０１４１】
〔実施形態３〕
本発明の実施形態３について、図１６に基づいて説明すれば、以下のとおりである。なお、説明の便宜上、前記実施形態にて説明した部材と同じ機能を有する部材については、同じ符号を付記し、その説明を省略する。
【０１４２】
本実施形態では、サイトサーバ３０において、携帯端末２０の言語情報の示す言語を用いた表示コンテンツを表示する旨の制御情報を生成するという点において、実施形態２と異なっている。したがって、本実施形態では、サイトサーバ３０にて上記の制御情報を生成するために、サイトサーバ３０のサーバ記憶部３２０には、言語情報対応テーブルが格納されている。
【０１４３】
サイトサーバ３０の通信制御部３３１は、言語情報抽出部３３２により抽出された言語情報、及びサイネージＩＤ、ならびに、サーバ記憶部３２０に格納されている言語対応テーブルを参照して、何れの言語を用いた表示コンテンツを、当該サイネージＩＤが示す表示装置に表示させるかを決定する。そして、通信制御部３３１は、決定された表示コンテンツを表示させる旨の制御情報を、サーバ通信部３１０を介してサイネージサーバ４０に送信する。
【０１４４】
本実施形態では、サイネージサーバ４０は、サイトサーバ３０から受信した制御情報を表示装置１０ａに送信する。したがって、本実施形態では、サイネージサーバ４０のサーバ制御部４３０は、言語情報取得部４３２としての機能を有していなくてもよい。
【０１４５】
（サイトサーバ３０の処理の流れ）
続いて、図１６を参照して、本実施形態に係るサイトサーバ３０の処理の流れについて説明する。図１６は、本実施形態に係るサイトサーバ３０の処理の流れを示すフローチャートである。
【０１４６】
（ステップＳ７０１〜ステップＳ７０４）
ステップＳ７０１〜Ｓ７０４の処理については、上述のステップＳ５０１〜Ｓ５０４の処理と同様であるため、説明を省略する。
【０１４７】
（ステップＳ７０５）
通信制御部３３１は、言語情報抽出部３３２により抽出された言語情報及びサイネージＩＤ、ならびに言語情報対応テーブルを参照して、当該サイネージＩＤの示す表示装置が、抽出された言語情報の示す言語を用いた表示コンテンツに対応しているかを判別する。サイネージＩＤの示す表示装置が抽出された言語情報の示す言語を用いた表示コンテンツに対応している場合、サイトサーバ３０は、ステップＳ７０６の処理に進み、対応していない場合、サイトサーバ３０は、ステップＳ７０７の処理に進む。
【０１４８】
（ステップＳ７０６）
ステップＳ７０５にて、サイネージＩＤの示す表示装置が、抽出された言語情報の示す言語を用いた表示コンテンツに対応している場合、通信制御部３３１は、言語情報抽出部３３２により抽出された言語情報、及びサイネージＩＤ、ならびに、サーバ記憶部３２０に格納されている言語対応テーブルを参照して、何れの言語を用いた表示コンテンツを、当該サイネージＩＤが示す表示装置に表示させるかを決定する。そして、通信制御部３３１は、決定された表示コンテンツを表示させる旨の制御情報を、サーバ通信部３１０を介してサイネージサーバ４０に送信する。
【０１４９】
（ステップＳ７０７）
続いて、サイトサーバ３０は、携帯端末２０から送信された接続要求信号に応じたＷｅｂコンテンツのデータを携帯端末２０に送信する。なお、ステップＳ７０２にてＵＲＬクエリにサイネージＩＤが含まれていない場合、または、ステップＳ７０５にて、サイネージＩＤの示す表示装置が、抽出された言語情報の示す言語を用いた表示コンテンツに対応していない場合、サイトサーバ３０は、サイネージサーバ４０に対して制御情報を送信しない。
【０１５０】
以上のように、表示装置１０ａ、携帯端末２０、サイトサーバ３０、及びサイネージサーバ４０が互いに連携して動作することにより、本実施形態に係る情報提供システム１ａは、携帯端末２０に設定されている言語に応じた表示画面を表示装置１０ａに表示させることができる。
【０１５１】
なお、本実施形態では、表示装置１０ａは、サイネージサーバ４０を介して、サイトサーバ３０から上記の制御情報を取得する構成としているが、これに限定されるものではない。例えば、サイトサーバ３０から、サイネージサーバ４０を介さずに、表示装置１０ａに上記の制御情報を送信する構成としてもよい。
【０１５２】
〔実施形態４〕
上記実施形態２〜３では、サイトサーバ３０及びサイネージサーバ４０を用いる例を説明したが、サイトサーバ３０及びサイネージサーバ４０の各々の有する各機能が、１つのサーバにて実現されていてもよく、３以上の複数のサーバにて実現されていてもよい。そして、複数のサーバを適用する場合においては、各サーバは、同じ事業者によって管理されていてもよいし、異なる事業者によって管理されていてもよい。
【０１５３】
〔実施形態５〕
表示装置１０の制御ブロック（特に表示制御部１３１および言語情報取得部１３２）、及び表示装置１０ａの制御ブロック（特に表示制御部１３１ａおよび言語情報取得部１３２ａ）は、集積回路（ＩＣチップ）等に形成された論理回路（ハードウェア）によって実現してもよいし、ＣＰＵ（Central Processing Unit）を用いてソフトウェアによって実
現してもよい。
【０１５４】
また、携帯端末２０の制御ブロック（特に接続先情報取得部２３３）は、集積回路（ＩＣチップ）等に形成された論理回路（ハードウェア）によって実現してもよいし、ＣＰＵ（Central Processing Unit）を用いてソフトウェアによって実現してもよい。
【０１５５】
また、サイトサーバ３０の制御ブロック（特に言語情報抽出部３３２）は、集積回路（ＩＣチップ）等に形成された論理回路（ハードウェア）によって実現してもよいし、ＣＰＵ（Central Processing Unit）を用いてソフトウェアによって実現してもよい。
【０１５６】
また、サイネージサーバ４０の制御ブロック（特に言語情報取得部４３２）は、集積回路（ＩＣチップ）等に形成された論理回路（ハードウェア）によって実現してもよいし、ＣＰＵ（Central Processing Unit）を用いてソフトウェアによって実現してもよい。
【０１５７】
後者の場合、表示装置１０、表示装置１０ａ、携帯端末２０、サイトサーバ３０、およびサイネージサーバ４０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５８】
〔付記事項１〕
上述の各実施形態に係る情報提供システム１、１ａを、以下のように構成してもよい。
【０１５９】
例えば、複数の携帯端末から、各々の携帯端末に設定されている言語情報取得した場合には、各言語情報の示す言語が併記された表示コンテンツを表示するように構成してもよい。また、上記の場合、表示画面を分割して、各言語情報の示す言語を用いた表示コンテンツを、分割された各表示画面にそれぞれ表示する構成としてもよい。
【０１６０】
また、表示コンテンツに金額を示す情報が含まれている場合には、言語情報の示す言語が用いられている国または地域における通貨での金額が併記された表示コンテンツを表示するように構成してもよい。さらに、表示装置通信部１１０ａより、適宜最新の為替レートを取得し算出するように構成すると好適である。
【０１６１】
また、上述の各実施形態では、携帯端末２０に接続先情報を提供するために、ＮＦＣアンテナ１４０、または、識別子（二次元バーコード）を用いる構成としているが、例えば、所定の範囲内に存在する携帯端末を検出することが可能なビーコン等を用いて携帯端末２０に接続先情報を提供する構成としてもよい。この場合、サイネージの設置場所の自由度はさらに向上することとなる。上記の構成において、所定の範囲内において複数の携帯端末が検出された場合には、携帯端末から受信した電波強度が、最も強い携帯端末に対して接続先情報を提供する構成としてもよい。
【０１６２】
また、表示装置表示部１６０に表示された二次元バーコードやＮＦＣアンテナ１４０により、接続先情報を提供する場合、表示されているコンテンツに応じて、接続先情報の内容を動的に変更するように構成しても良い。例えば、その時表示されている広告商品を特定する情報をＵＲＬクエリに追加し、当該商品に関連した情報を表示するようにしても良いし、あるいは、表示コンテンツに応じて異なるサイトサーバ３０に接続するように構成しても良い。
【０１６３】
また、ＮＦＣ通信により携帯端末２０から情報を取得し、それに応じて接続先情報の内容を変更するように構成しても良い。例えば、携帯端末２０の所有者のユーザＩＤをＮＦＣ通信により携帯端末２０から取得し、当該ユーザＩＤでサイトサーバ３０に接続しログインすることで、当該ユーザに最適な情報を提示することが可能となる。
【０１６４】
なお、上述の実施の形態１〜５及びその他の構成は一例であり、接続先情報の提供手段等、各機能の実現態様は破綻をきたさない限り適宜交換あるいは組み合わせても良い。例えば、接続先情報について、表示装置表示部１６０に２次元バーコードとして表示するとともに、ＮＦＣアンテナ１４０からも提供可能に構成しても良い。この場合、ＮＦＣ機能とカメラ機能のどちらか片方しか有しない携帯端末２０であっても、本システムを利用することが可能となり利便性が向上する。
【０１６５】
〔まとめ〕
本発明の態様１に係る情報提供システム（情報提供システム１、１ａ）は、携帯端末（携帯端末２０）が通信を行う接続先を示す接続先情報を、当該携帯端末に提供する情報提供システムであって、当該情報提供システムは、上記接続先情報を上記携帯端末に提供する接続先情報提供部（ＮＦＣアンテナ１４０）と、上記携帯端末が接続した上記接続先の装置（表示装置制御部１３０、１３０ａ、サイトサーバ３０）から、当該携帯端末に設定されている言語を示す言語情報を取得する言語情報取得部（言語情報取得部１３２、１３２ａ、言語情報取得部４３２）と、上記言語情報、及び、上記言語情報の示す言語を用いた表示画面を表示する旨の制御情報の少なくとも何れかを表示装置（表示装置１０、１０ａ）に送信する送信部（言語情報取得部１３２、１３２ａ、通信制御部４３１）と、を備えている、ことを特徴としている。
【０１６６】
上記の構成によれば、上記携帯端末を上記接続先情報が示す接続先の装置に接続させることにより、上記サーバは、上記接続先の装置から、上記携帯端末に設定されている言語情報を取得する。そして、上記サーバは、上記言語情報及び上記制御情報の少なくとも何れかを表示装置に送信し、上記表示装置に上記言語情報の示す言語を用いた表示画面を表示させることができる。
【０１６７】
したがって、上記の構成によれば、デジタルサイネージの製造コストの上昇を抑制し、またサイネージの設置場所に対する制限を緩和しつつ、携帯端末に設定されている言語に応じた表示画面をデジタルサイネージに表示させることができる。
【０１６８】
本発明の態様２に係る情報提供システムは、上記態様１において、上記言語情報は、上記携帯端末が上記接続先の装置に対して送信する接続要求信号に含まれていることが好ましい。
【０１６９】
上記の構成によれば、上記言語情報は、上記接続要求信号に含まれている情報であるため、上記携帯端末を上記接続先の装置に接続させることにより、上記言語情報を取得することができる。ここで、上記接続要求信号の例としては、例えば、上記携帯端末にインストールされているブラウザアプリから送信されるHTTPリクエストが挙げられる。また、上記言語情報の例としては、HTTPリクエストに含まれるHTTPヘッダの一つであるAccept-Languageが挙げられる。
【０１７０】
したがって、上記の構成によれば、上記言語情報を容易に取得することができる。
【０１７１】
本発明の態様３に係る情報提供システムは、上記態様１または２において、上記言語情報取得部は、上記表示装置を特定するための特定情報をさらに取得し、上記送信部は、上記特定情報により特定される表示装置に対して、上記言語情報、及び、上記制御情報の少なくとも何れかを送信することが好ましい。
【０１７２】
上記の構成によれば、上記情報提供システムは、上記特定情報を取得することにより、上記特定情報により特定される表示装置に、上記言語情報の示す言語を用いた表示画面を表示させることができる。ここで、上記特定情報は、例えば、HTTPリクエストにおけるURLクエリに埋め込むことができる。これにより、上記言語情報取得部は、上記言語情報及
び上記制御情報の少なくとも何れかとともに、上記特定情報を取得することができる。
【０１７３】
したがって、上記の構成によれば、上記表示装置の周辺に存在するユーザに対して、確実に上記言語情報の示す言語を用いた表示画面を表示させることができる。
【０１７４】
本発明の態様４に係る情報提供システムは、上記態様１から３において、上記送信部から、上記言語情報及び上記制御情報の少なくとも何れかを受信した場合に、上記言語情報の示す言語を用いた表示画面を表示する表示装置（表示装置１０、１０ａ）をさらに含んでいることが好ましい。
【０１７５】
本発明の態様５に係る情報提供システムは、上記態様１から３において、上記接続先情報提供部は表示装置（表示装置１０、１０ａ）であり、当該表示装置は、上記接続先情報を示す識別子を表示する構成としてもよい。
【０１７６】
上記の構成によれば、上記表示装置は、上記識別子を表示する。上記識別子の一例としては、二次元バーコードが挙げられる。上記携帯端末は、上記二次元バーコードを読み取ることにより、上記接続先の装置に接続する。これにより、上記サーバは、上記接続先の装置から、上記言語情報を取得することができる。
【０１７７】
したがって、上記の構成によれば、簡便な構成により上記言語情報を取得することができる。
【０１７８】
本発明の態様６に係る情報提供システムは、上記態様５において、上記表示装置は、上記言語情報及び上記制御情報の少なくとも何れかを受信した場合に、上記言語情報の示す言語を用いた表示画面を表示することが好ましい。
【０１７９】
上記の構成によれば、上記携帯端末は、上記表示装置に表示された上記識別子を読み取ることによって上記接続先の装置に接続する。上記サーバは、上記接続先の装置から上記言語情報を取得し、上記言語情報及び上記制御情報の少なくとも何れかを上記表示装置に送信する。そして、上記表示装置は、上記言語情報の示す言語を用いた表示画面を表示することができる。
【０１８０】
したがって、上記の構成によれば、上記表示装置の周辺に存在するユーザに対して、より確実に上記言語情報の示す言語を用いた表示画面を表示させることができる。
【０１８１】
本発明の態様７に係る情報提供システムは、上記態様４から６において、上記表示装置は、上記言語情報の示す言語を用いた表示画面を表示してから所定の時間が経過した場合に、デフォルトとして設定されている言語を用いた表示画面を表示することが好ましい。
【０１８２】
上記の構成によれば、上記表示装置は、上記言語情報の示す言語を用いた表示画面を表示してから所定の時間が経過した場合に、デフォルトとして設定されている言語を用いた表示画面を表示することができる。換言すれば、上記表示装置は、上記言語情報の示す言語を用いた表示画面を一時的に表示することができる。ここで、デフォルトとして設定されている言語は、例えば、上記表示装置が設置されている国または地域に応じた言語であればよい。
【０１８３】
したがって、上記の構成によれば、不特定多数のユーザによる利用が見込まれるような表示装置において、より多くのユーザに対して適切な情報を提供することができる。
【０１８４】
本発明の態様８に係る情報提供システムは、上記態様１から７において、上記接続先情報提供部から上記接続先情報を取得する接続先情報取得部（接続先情報取得部２３３）と、上記接続先情報が示す接続先の装置と通信を行う通信部（通信制御部２３４）と、を備えた携帯端末（携帯端末２０）をさらに含んでいることが好ましい。
【０１８５】
本発明の態様９に係る情報提供システムは、上記態様１から８において、上記携帯端末と通信を行う通信デバイス（表示装置通信部１１０）をさらに含み、上記接続先情報には、上記通信デバイスを介して、上記接続先の装置に接続するための認証情報が含まれていることが好ましい。
【０１８６】
ここで、上記通信デバイスの例としては、無線アクセスポイントが挙げられる。また、上記認証情報の例としては、上記無線アクセスポイントのSSID（Service Set Identification）、及びパスコード等が挙げられる。上記の構成によれば、上記携帯端末を、上記通信デバイスを介して上記接続先の装置に接続させることができる。
【０１８７】
本発明の態様１０に係る情報提供サーバ（表示装置制御部１３０、１３０ａ、サイネージサーバ４０）は、表示装置（表示装置１０、１０ａ）に情報を提供する情報提供サーバであって、携帯端末（携帯端末２０）が通信を行う接続先の装置（表示装置制御部１３０、１３０ａ、サイトサーバ３０）から、当該携帯端末に設定されている言語を示す言語情報を取得する言語情報取得部（言語情報取得部１３２、１３２ａ、言語情報取得部４３２）と、上記言語情報、及び、上記言語情報の示す言語を用いた表示画面を表示する旨の制御情報の少なくとも何れかを上記表示装置に送信する送信部（言語情報取得部１３２、１３２ａ、通信制御部４３１）と、を備えている、ことを特徴としている。
【０１８８】
上記の構成によれば、上記情報提供サーバは、上記接続先の装置から、上記携帯端末に設定されている言語情報を取得する。そして、上記情報提供サーバは、上記言語情報及び上記制御情報の少なくとも何れかを表示装置に送信し、上記表示装置に上記言語情報の示す言語を用いた表示画面を表示させることができる。
【０１８９】
したがって、上記の構成によれば、デジタルサイネージの製造コストの上昇を抑制しつつ、携帯端末に設定されている言語に応じた表示画面をデジタルサイネージに表示させることができる。
【０１９０】
本発明の態様１１に係る制御方法は、携帯端末（携帯端末２０）が通信を行う接続先を示す接続先情報を、当該携帯端末に提供する情報提供システム（情報提供システム１、１ａ）の制御方法であって、上記携帯端末が接続した上記接続先の装置（表示装置通信部１１０、サイトサーバ３０）から、当該携帯端末に設定されている言語を示す言語情報を取得する言語情報取得ステップと、上記言語情報、及び、上記言語情報の示す言語を用いた表示画面を表示する旨の制御情報の少なくとも何れかを表示装置（表示装置１０、１０ａ）に送信する送信ステップと、を含んでいる、ことを特徴としている。
【０１９１】
上記の構成によれば、上記の情報提供システムと同様の効果を奏する。
【０１９２】
本発明の態様１２に係る表示装置（表示装置１０ａ）は、携帯端末が通信を行う接続先の装置（サイトサーバ３０）から当該携帯端末に設定されている言語を示す言語情報を取得するサーバ（サイネージサーバ４０）を介して、上記言語情報、及び、上記言語情報の示す言語を用いた表示画面を表示する旨の制御情報の少なくとも何れかを受信する表示装置であって、上記接続先を示す接続先情報を、上記携帯端末に提供する接続先情報提供部（ＮＦＣアンテナ１４０、表示装置１０ａ）と、上記サーバから受信した上記言語情報及び上記制御情報の少なくとも何れかを参照して、上記言語情報の示す言語を用いた表示画面を表示する表示制御部（表示制御部１３１ａ）と、を備えている、ことを特徴としている。
【０１９３】
上記の構成によれば、上記表示装置は、上記接続先情報提供部により、上記携帯端末を上記接続先の装置に接続させることができる。そして、上記表示装置は、上記サーバを介して受信した上記言語情報及び上記制御情報の少なくとも何れかを参照して、上記言語情報の示す言語を用いた表示画面を表示することができる。
【０１９４】
したがって、上記の構成によれば、デジタルサイネージの製造コストの上昇を抑制しつつ、携帯端末に設定されている言語に応じた表示画面をデジタルサイネージに表示させることができる。
【０１９５】
本発明の態様１３に係るコンテンツ提供サーバ（表示装置制御部１３０、１３０ａ、サイトサーバ３０）は、携帯端末（携帯端末２０）からの接続要求信号に応じてコンテンツ（Ｗｅｂコンテンツ）を提供するコンテンツ提供サーバであって、上記携帯端末に設定されている言語を示す言語情報であって、上記接続要求信号に含まれている言語情報を抽出する言語情報抽出部（通信制御部１３４、１３４ａ、言語情報抽出部３３２）と、上記言語情報、及び、上記言語情報の示す言語を用いた表示画面を表示する旨の制御情報の少なくとも何れかを、表示装置（表示装置１０ａ）に情報を提供する情報提供サーバ（表示装置制御部１３０、１３０ａ、サイネージサーバ４０）に送信する送信部（通信制御部１３４、１３４ａ、通信制御部３３１）と、を備えている、ことを特徴としている。
【０１９６】
上記の構成によれば、上記コンテンツ提供サーバは、上記携帯端末から、上記接続要求信号から上記言語情報を抽出し、上記言語情報及び上記制御情報の少なくとも何れかを上記情報提供サーバに送信する。そして、上記情報提供サーバは、上記表示装置に上記言語情報の示す言語を用いた表示画面を表示させることができる。
【０１９７】
したがって、上記の構成によれば、デジタルサイネージの製造コストの上昇を抑制しつつ、携帯端末に設定されている言語に応じた表示画面をデジタルサイネージに表示させることができる。
【０１９８】
本発明の各態様に係る情報提供サーバ及びコンテンツ提供サーバは、コンピュータによって実現してもよく、この場合には、コンピュータを上記情報提供サーバ及び上記コンテンツ提供サーバが備える各部（ソフトウェア要素に限る）として動作させることにより上記情報提供サーバ及び上記コンテンツ提供サーバをコンピュータにて実現させる情報提供サーバ及びコンテンツ提供サーバの制御プログラム、およびそれを記録したコンピュータ読み取り可能な記録媒体も、本発明の範疇に入る。
【０１９９】
〔付記事項２〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２００】
本発明は、デジタルサイネージ等の表示装置に情報を提供する情報提供システムに利用することができる。
【符号の説明】
【０２０１】
１、１ａ            情報提供システム
１０、１０ａ        表示装置（接続先情報提供部）
１１０              表示装置通信部（通信デバイス）
１１０ａ            表示装置通信部
１３０、１３０ａ    表示装置制御部（サーバ、接続先の装置）
１３１、１３１ａ    表示制御部
１３２、１３２ａ    言語情報取得部（送信部）
１３４、１３４ａ    通信制御部（言語情報抽出部、送信部）
１４０              ＮＦＣアンテナ（接続先情報提供部）
２０                携帯端末
２３３              接続先情報取得部
２３４              通信制御部（通信部）
３０                サイトサーバ（コンテンツ提供サーバ、接続先の装置）
３３１              通信制御部（送信部）
３３２              言語情報抽出部
４０                サイネージサーバ（サーバ、情報提供サーバ）
４３１              通信制御部（送信部）
４３２              言語情報取得部
【図１】
2019023878.tif 000003
【図２】
2019023878.tif 000004
【図３】
2019023878.tif 000005
【図４】
2019023878.tif 000006
【図５】
2019023878.tif 000007
【図６】
2019023878.tif 000008
【図７】
2019023878.tif 000009
【図８】
2019023878.tif 000010
【図９】
2019023878.tif 000011
【図１０】
2019023878.tif 000012
【図１１】
2019023878.tif 000013
【図１２】
2019023878.tif 000014
【図１３】
2019023878.tif 000015
【図１４】
2019023878.tif 000016
【図１５】
2019023878.tif 000017
【図１６】
2019023878.tif 000018